(57)【要約】本発明は、先進の制御局が伝統的なネットワークにアクセスする場合に、先進の制御局が先進プロトコルを用いて移動局に対してアイドル処理を行ってエラー有りの可能性がある問題を解決するにより、アイドルモードがシステムの発展に適応できるようになるアイドルモード処理方法及び先進の制御局を提供する。該方法は、伝統的なネットワークに接続される先進の制御局がその第１領域で伝統的なプロトコルのページング識別子を用いて移動局を呼び出すステップを含む。
2013521733.tif 000002
【特許請求の範囲】
【請求項１】
伝統的なネットワークに接続される先進の制御局は、その第１領域で伝統的なプロトコルのページング識別子を用いて移動局を呼び出すステップを含むことを特徴とするアイドルモード処理方法。
【請求項２】
前記先進の制御局は、アイドルモードにある移動局に対して呼び出す前、前記方法は更に、
前記先進の制御局は、アイドルモードに入る必要のある移動局が伝統的なプロトコルで用いるページング識別子を該移動局の登録識別子とし、前記第１領域で前記登録識別子をアイドルモードに入る必要のある移動局に送信することを含むことを特徴とする請求項１に記載の方法。
【請求項３】
前記先進の制御局は、前記登録識別子をアイドルモードに入る必要のある移動局に送信することは、
前記先進の制御局は、登録応答メッセージに前記登録識別子を載せ、前記第１領域で前記登録応答メッセージを、アイドルモードに入る必要のある移動局に送信することを含むことを特徴とする請求項２に記載の方法。
【請求項４】
前記先進の制御局は、前記第１領域で前記登録応答メッセージを送信することは、
前記移動局は、前記第１領域で前記先進の制御局に登録要求メッセージを送信してアイドルモードに入ることを要求し、前記先進の制御局は、前記登録要求メッセージを受信した後、前記第１領域で前記移動局に前記登録応答メッセージを送信し、又は、
前記先進の制御局は、前記第１領域で前記移動局に前記登録応答メッセージを送信して前記移動局がアイドルモードに入るように触発することを含むことを特徴とする請求項３に記載の方法。
【請求項５】
前記先進の制御局は呼出を行うことは、
前記先進の制御局は、呼出放送メッセージを送信して呼出を行うことを含み、前記呼出放送メッセージには、呼び出す必要のある移動局が伝統的なプロトコルで用いるページング識別子を載せることを特徴とする請求項2に記載の方法。
【請求項６】
前記先進の制御局は、アイドルモードにある移動局に対して呼び出す前、前記方法は更に、
前記先進の制御局は指示情報を送信することを含み、前記指示情報は、アイドルモードに入る必要のある移動局が伝統的なプロトコルに用いるページング識別子を使用するように指示することを特徴とする請求項１に記載の方法。
【請求項７】
前記先進の制御局は前記指示情報を送信することは、
前記先進の制御局は、前記指示情報をスーパーフレームヘッドに載せ、前記スーパーフレームヘッドを送信することを含むことを特徴とする請求項６に記載の方法。
【請求項８】
前記先進の制御局は前記スーパーフレームヘッドを送信した後、前記方法は更に、
前記移動局は、前記スーパーフレームヘッドを受信した後、前記先進の制御局に登録要求メッセージを送信してアイドルモードに入ることを要求し、前記先進の制御局は前記登録要求メッセージを受信した後、前記移動局に登録応答メッセージを送信することを含み、前記先進の制御局は、前記登録応答メッセージに前記移動局の登録識別子を載せない、又は、
前記先進の制御局は、前記移動局に前記移動局の登録識別子を載せない登録応答メッセージを送信して前記移動局がアイドルモードに入ることを触発することを特徴とする請求項７に記載の方法。
【請求項９】
前記先進の制御局は呼出を行うことは、
前記先進の制御局は、呼出放送メッセージを送信し呼出を行うことを含み、前記呼出放送メッセージには、呼び出す必要のある移動局が伝統的なプロトコルに用いるページング識別子、及び該先進の制御局が伝統的なプロトコルページング識別子を用いて呼び出た移動局の数量情報を載せることを特徴とする請求項６に記載の方法。
【請求項１０】
前記指示情報は、移動局がネットワークにアクセスする場合に、システムが用いるネットワークアクセス識別子タイプ指示と多重化できることを特徴とする請求項６に記載の方法。
【請求項１１】
前記先進の制御局は呼出を行うことは、
前記先進の制御局が、その第１領域及び／又は第２領域で前記呼出放送メッセージを送信して呼出を行うことを含むことを特徴とする請求項５又は９に記載の方法。
【請求項１２】
前記先進の制御局は呼出を行うことは、
前記先進の制御局は、呼び出す必要のある移動局が対応する前記通信領域を取得し、前記呼び出す必要のある移動局が対応する通信領域で前記呼出放送メッセージを送信して呼出を行うことを含むことを特徴とする請求項１１に記載の方法。
【請求項１３】
前記先進の制御局は、前記呼び出す必要のある移動局が対応する通信領域を取得することは、
前記先進の制御局は、呼び出す必要のある前記移動局が所属する呼出組の呼出組識別子及び／又は呼出周期によって、前記呼出組が対応する通信領域を取得すること、
前記先進の制御局は、呼び出す必要のある前記移動局がアイドルモードに入る又は位置更新を行う通信領域を呼出制御器から取得すること、及び
前記先進の制御局は、呼び出す必要のある前記移動局が所属する呼出組の対応する通信領域を前記呼出制御器から取得することの少なくとも１つを含むことを特徴とする請求項１２に記載の方法。
【請求項１４】
前記先進の制御局は、呼び出す必要のある前記移動局が所属する呼出組の呼出組識別子及び／又は呼出周期によって、前記呼出組が対応する通信領域を取得する前、前記方法は更に、
前記先進の制御局の異なる通信領域は、異なる呼出組に分けられることと、
異なる通信領域に属する呼出組は、異なる呼出組識別子及び／又は呼出周期を用いて区分を行うこととを含むことを特徴とする請求項１３に記載の方法。
【請求項１５】
前記先進の制御局は呼出放送メッセージを送信して呼出を行った後、前記方法は更に、
アイドルモードにある移動局は、前記呼出放送メッセージを受信した後、前記呼出放送メッセージにそのローカルで生成した又は前記先進の制御局から受信した、伝統的なプロトコルに用いるページング識別子に一致するページング識別子を載せるかを判断するにより、自分が呼び出されたかを確定することを含むことを特徴とする請求項５又は９に記載の方法。
【請求項１６】
前記アイドルモードにある移動局は、自分が呼び出されたことを確定する場合に、前記方法は更に、
アイドルモードにある前記移動局は、前記呼出放送メッセージの指示により、アイドルモードを終え、ネットワーク再加入を行うこと、又は、
アイドルモードにある前記移動局は、前記呼出放送メッセージにより、前記先進の制御局に、該移動局が伝統的なプロトコルで用いるページング識別子を載せる距離測定要求メッセージを送信すること、
前記先進の制御局は、該移動局が伝統的なプロトコルで用いるページング識別子を載せる距離測定応答メッセージを応答すること、前記アイドルモードにある移動局は位置更新を完成することを含むことを特徴とする請求項５に記載の方法。
【請求項１７】
アイドルモードにある前記移動局は、自分が呼び出されたことを確定する場合に、前記方法は更に、
アイドルモードにある前記移動局は、前記呼出放送メッセージの指示により、アイドルモードを終え、ネットワーク再加入を行うこと、又は、
アイドルモードにある前記移動局は、前記呼出放送メッセージにより、該移動局の媒体アクセスアドレスを載せる距離測定要求メッセージを、前記先進の制御局に送信すること、前記先進の制御局は、該移動局の媒体アクセスアドレスを載せる距離測定応答メッセージを応答すること、アイドルモードにある前記移動局は位置更新を完成することを含むことを特徴とする請求項９に記載の方法。
【請求項１８】
移動局が伝統的なプロトコルで用いるページング識別子は、該移動局の媒体アクセスアドレスハッシュ値であることを特徴とする請求項１に記載の方法。
【請求項１９】
前記第１領域は、１６ｍが定義した先進通信プロトコルをサポートする先進領域であることを特徴とする請求項１に記載の方法。
【請求項２０】
伝統的なネットワークに接続される先進の制御局は、移動局がその第２領域で伝統的なプロトコルを用いてアイドルモード処理を行うことのみを前記先進の制御局がサポートするように、移動局を指示するステップと、
前記先進の制御局は、前記第２領域で伝統的なプロトコルを用いて、アイドルモードの移動局に対して呼出を行うステップとを含むことを特徴とするアイドルモード処理方法。
【請求項２１】
前記先進の制御局は、前記先進の制御局と移動局と能力協商を行うこと、及び前記先進の制御局が指示情報を送信すること、の少なくとも１つにより、移動局がその第２領域で伝統的なプロトコルを用いてアイドルモード処理を行うことのみを前記先進の制御局がサポートするように、移動局を指示することを特徴とする請求項２０に記載の方法。
【請求項２２】
前記先進の制御局は移動局を指示した後、前記方法は更に、
前記移動局が前記第２領域でアイドルモードに入ることを含むことを特徴とする請求項２０に記載の方法。
【請求項２３】
前記移動局は前記第２領域でアイドルモードに入ることは、
前記第２領域で動作する前記移動局は、前記第２領域でアイドルモードに入ること、又は、
前記先進の制御局の第１領域で動作する前記移動局は、前記第２領域に転換され、前記第２領域でアイドルモードに入ることを含むことを特徴とする請求項２２に記載の方法。
【請求項２４】
前記先進の制御局の第１領域で動作する移動局は前記第２領域に転換され、前記第２領域でアイドルモードに入ることは、
前記移動局が前記第１領域から前記第２領域に転換され、前記第２領域で前記先進の制御局に登録要求メッセージを送信してアイドルモードに入ることを要求すること、又は、
前記先進の制御局は、前記移動局を前記第１領域から前記第２領域に転換させることを触発し、前記移動局に登録命令メッセージを送信して前記移動局がアイドルモードに入るようになることを含むことを特徴とする請求項２３に記載の方法。
【請求項２５】
前記移動局は、前記第２領域でアイドルモードに入った後、前記方法は更に、
前記移動局は、前記先進の制御局が前記第２領域で送信した呼出放送メッセージを取得し、前記呼出放送メッセージに前記移動局の媒体アクセスアドレスハッシュ値を載せるかにより、自分が呼び出されたかを確定することを含むことを特徴とする請求項２２に記載の方法。
【請求項２６】
前記移動局は、前記先進の制御局が送信した前記呼出放送メッセージを取得する前、前記方法は更に、
前記先進の制御局は、その第２領域のみで前記呼出放送メッセージを送信することを含むことを特徴とする請求項２５に記載の方法。
【請求項２７】
前記移動局は、自分が呼び出されたことを確定する場合に、前記方法は更に、
前記移動局は、前記呼出放送メッセージにおける指示情報により、前記第２領域で位置更新又はネットワーク再加入を行うことを含むことを特徴とする請求項２５に記載の方法。
【請求項２８】
前記移動局は、前記第２領域でネットワーク再加入を行うことは、
前記移動局は、ネットワーク再加入を完成した場合、又はネットワーク再加入中に、前記第１領域に転換されることを含むことを特徴とする請求項２７に記載の方法。
【請求項２９】
前記第２領域は、１６ｅ及び／又は１６ｊが定義した伝統的な通信プロトコルをサポートする伝統的な領域であることを特徴とする請求項１に記載の方法。
【請求項３０】
前記先進の制御局は、伝統的なネットワークに接続される場合に、その第１領域で伝統的なプロトコルのページング識別子を用いて移動局を呼び出すように設置することを特徴とする先進の制御局。
【請求項３１】
前記先進の制御局は、伝統的なネットワークに接続される場合に、移動局がその第２領域で伝統的なプロトコルを用いてアイドルモード処理を行うことのみを前記先進の制御局がサポートするように、移動局を指示するように設置され、及び、
前記先進の制御局は、前記第２領域で伝統的なプロトコルを用いてアイドルモードの移動局に対して呼出を行うように設置することを特徴とする先進の制御局。
【発明の詳細な説明】
【技術分野】
【０００１】
本発明は通信分野に関し、具体的には、アイドルモード処理方法及び先進の制御局に関する。
【背景技術】
【０００２】
無線通信システムにおいて、基地局（Ｂａｓｅ  Ｓｔａｔｉｏｎ，ＢＳと略称）により特定の無線チャンネルを用いて一定地理範囲で無線カバーを提供し、この地理範囲はセルと呼ばれる。通常、理論上、基地局がセル中央に位置する。カバー範囲の大きさによって、基地局は、マクロ基地局（Ｍａｃｒｏ  ＢＳ）、ピコ基地局（ＰＩＣＯ  ＢＳ）、及びフェムトセル基地局（ＦＥＭＴＯＣＥＬＬ  ＢＳ）に分けられる。また、カバー又は容量を拡大するために、移動局（例えば、端末又は移動端末）（Ｍｏｂｉｌｅ  Ｓｔａｔｉｏｎ，ＭＳと略称）と基地局との間に１つ又は複数の中継局を置いても良い。移動局にとって、中継局は１つの基地局に相当する。移動局は１つのセルからもう１つのセルに移動する場合に、通信を保持するために、切替を行う必要がある。
【０００３】
サポートする通信プロトコルによって、基地局／中継局は先進の制御局及び伝統的な制御局と分けれ、先進の制御局とは、先進通信プロトコルをサポートする基地局／中継局（Ａｄｖａｎｃｅｄ  Ｂａｓｅ  Ｓｔａｔｉｏｎ／Ａｄｖａｎｃｅｄ  Ｒｅｌａｙ  Ｓｔａｔｉｏｎ，ＡＢＳ／ＡＲＳと略称）であり、伝統的な制御局とは、伝統的な通信プロトコルをサポートする基地局／中継局（Ｙａｒｄｓｔｉｃｋ  Ｂａｓｅ  Ｓｔａｔｉｏｎ／Ｙａｒｄｓｔｉｃｋ  Ｒｅｌａｙ  Ｓｔａｔｉｏｎ，ＹＢＳ／ＹＲＳと略称）である。互換性を考慮する技術において、先進の制御局にとって、そのフレームを第１領域及び第２領域に分けられる。第２領域は伝統的な通信プロトコルをサポートするため、伝統的な領域とも呼ばれ、第１領域は先進通信プロトコルのみをサポートするため、先進領域とも呼ばれる。類似に、移動局にとって、先進の移動局（Ａｄｖａｎｃｅｄ  Ｍｏｂｉｌｅ  Ｓｔａｔｉｏｎ，ＡＭＳと略称）及び伝統的な移動局（Ｙａｒｄｓｔｉｃｋ  Ｍｏｂｉｌｅ  Ｓｔａｔｉｏｎ，ＹＭＳと略称）に分けられ、先進の移動局は第１領域又は第２領域において動作できるが、伝統的な移動局は第２領域しか動作できない。伝統的な移動局にとって、先進の制御局の第２領域は１つの伝統的な制御局に相当する。また、先進の移動局は伝統的な制御局にアクセスして動作する場合に、伝統的な制御局にとって、該先進の移動局は１つの伝統的な移動局である。先進の制御局は先進通信プロトコルのみをサポートしてもよく、この時、先進の制御局は第１領域のみを有しても良い。
【０００４】
以下、ＩＥＥＥ８０２．１６規格を例として更に説明する。ＩＥＥＥ８０２．１６規格は、マイクロ波帯域に対して提出した先進の空中インターフェース規格であり、該規格は、物理層（ＰＨＹ）とメデイアアクセス制御層（Ｍｅｄｉａ  Ａｃｃｅｓｓ  Ｃｏｎｔｒｏｌ，ＭＡＣと略称）の規範を作った。中継構造を含むＩＥＥＥ８０２．１６ｍは、現在、ＩＥＥＥ８０２．１６規格において最先進標準技術であり、ＩＥＥＥ８０２．１６ｍ（以下、１６ｍと略称）はＩＥＥＥ８０２．１６ｅ（以下、１６ｅと略称）、ＩＥＥＥ８０２．１６ｊ（以下、１６ｊと略称）等の伝統的な規格の基礎に設立したものである。
【０００５】
以上の説明に基づき、ＩＥＥＥ８０２．１６規格をサポートするシステムにおいて、先進の制御局（即ち、１６ｍプロトコルをサポートする基地局／中継局）は、伝統的な移動局（１６ｅプロトコルをサポートする移動局）に互換・サポートし、同様に、先進の移動局（１６ｍプロトコルをサポートする移動局）は、伝統的な制御局（１６ｅをサポートする基地局又は１６ｊをサポートする中継局）にもアクセスできるべきである。
【０００６】
第１領域（先進領域とも称し、１６ｍ  ｚｏｎｅ，ＭＺｏｎｅと略称）は、１６ｍが定義した先進通信プロトコルをサポートし、第２領域（伝統的な領域とも称し、Ｌｅｇａｃｙ  Ｚｏｎｅ，ＬＺｏｎｅと略称）は、１６ｅ／１６ｊのプロトコルをサポートする。また、先進の制御局はＭＺｏｎｅのみを有しても良い。
【０００７】
一般的に、システムにおける制御局が、伝統的な制御局から先進の制御局に発展した場合に、制御局に接続されるネットワーク（アクセスサービスネットワークとも称し、Ａｃｃｅｓｓ  Ｓｅｒｖｉｃｅ  Ｎｅｔｗｏｒｋ，ＡＳＮと略称）も相応的に伝統的なネットワークから先進ネットワークに発展する。しかしながら、実際のシステムにおいて、制御局とアクセスサービスネットワークの発展速度は同期ではない可能性があるため、又は、市場の発展として、できるだけ早く先進技術を用いるため、制御局が先進の制御局であるが、アクセスサービスネットワークが伝統的なネットワークである場合が出る可能性があり、図１は関連技術によるシステム発展ネットワーク配置模式図であり、図１に示すように、先進の移動局は、伝統的な制御局、伝統的なプロトコルと先進プロトコルをサポートする混合モード先進の制御局、及び先進プロトコルのみをサポートする先進の制御局にアクセスできるが、伝統的な移動局は、伝統的な制御局、及び混合モード先進の制御局にアクセスできる。この時、先進の移動局と先進の制御局の空口で、先進の通信プロトコル（図１において、より粗い実線で示した先進の移動局と先進の制御局のインターフェース）を変更せずに直接使用すると、後の伝統的なネットワークとの通信プロセスに問題がある可能性がある。
【０００８】
例えば、省電のために、移動局（例えば、移動端末、端末）は、アイドル（Ｉｄｌｅモードに入っても良く、アイドルモードに入った後、移動局は、ただ離散の間隔で周期的にダウンリンク放送データを受信し、且つ複数の制御局の間で移動プロセスに、必要となる場合のみに制御局に対して位置情報を更新し、切替とネットワーク再加入の必要がない。伝統的な制御局／伝統的な移動局及び先進の制御局／先進の移動局は、Ｉｄｌｅモードの処理上に大きい差異が存在する。１６ｅと１６ｍ規格を例とし、呼び出される移動局の識別方法は２種類の規格において全く異なっている。１６ｅプロトコルをサポートする制御局は、移動局を呼び出す場合に、送信した呼出放送（ＭＯＢ  ＰＡＧ−ＡＤＶ）メッセージに、移動局を呼び出すＭＡＣアドレスにより算出した２４ビットのＭＡＣアドレスハッシュ（ＭＡＣ  ａｄｄｒｅｓｓ  Ｈａｓｈ）情報が含まれ、且つ１６ｅプロトコルをサポートする移動局は、呼出監視間隔で受信したＭＯＢ＿ＰＡＧ−ＡＤＶメッセージに対応のＭＡＣ  ａｄｄｒｅｓｓ  Ｈａｓｈを含むかによって、自己が制御局により呼び出されるかを識別する。一方、１６ｍプロトコルをサポートする移動局がＩｄｌｅモードに入って要求する場合に、１６ｍプロトコルをサポートするシステムは、移動局に１つの１０ビットの登録識別子（ＤＩＤ）を配布し、ＤＩＤが後の呼出プロセスで移動局を識別するために使用され、例えば、移動局は、受信した１６ｍ制御局が送信する先進呼出放送メッセージ（ＡＡＩ＿ＰＡＧ−ＡＤＶ）に自身に配布されたＤＩＤがあるかによって、自己が呼び出されたかを識別する。
【０００９】
上述したものによって、先進の制御局がアクセスしたアクセスサービスネットワークが伝統的なネットワークであると、先進の制御局が先進プロトコルを用いて移動局に対してアイドルの関連処理を行うプロセスに、問題が出る可能性がある。
【発明の概要】
【発明が解決しようとする課題】
【００１０】
本発明は、少なくとも上述問題を解決するように、アイドルモード処理方案を提供することを目的とする。
【課題を解決するための手段】
【００１１】
本発明の一形態によれば、伝統的なネットワークに接続される先進の制御局は、その第１領域で伝統的なプロトコルのページング識別子を用いて移動局を呼び出すステップを含むアイドルモード処理方法を提供した。
【００１２】
好ましくは、先進の制御局は、アイドルモードにある移動局に対して呼び出す前、方法は更に、先進の制御局は、アイドルモードに入る必要のある移動局が伝統的なプロトコルで用いるページング識別子を該移動局の登録識別子とし、第１領域で登録識別子をアイドルモードに入る必要のある移動局に送信することを含む。
【００１３】
好ましくは、先進の制御局は、登録識別子をアイドルモードに入る必要のある移動局に送信することは、先進の制御局は、登録応答メッセージに登録識別子を載せ、第１領域で登録応答メッセージを、アイドルモードに入る必要のある移動局に送信することを含む。
【００１４】
好ましくは、先進の制御局は、第１領域で登録応答メッセージを送信することは、移動局は、第１領域で先進の制御局に登録要求メッセージを送信してアイドルモードに入ることを要求し、先進の制御局は、登録要求メッセージを受信した後、第１領域で移動局に登録応答メッセージを送信し、又は、先進の制御局は、第１領域で移動局に登録応答メッセージを送信して移動局がアイドルモードに入るように触発することを含む。
【００１５】
好ましくは、先進の制御局は呼出を行うことは、先進の制御局は、呼出放送メッセージを送信して呼出を行うことを含み、呼出放送メッセージには、呼び出す必要のある移動局が伝統的なプロトコルで用いるページング識別子を載せる。
【００１６】
好ましくは、先進の制御局は、アイドルモードにある移動局に対して呼び出す前、方法は更に、先進の制御局は指示情報を送信することを含み、指示情報は、アイドルモードに入る必要のある移動局が伝統的なプロトコルに用いるページング識別子を使用するように指示する。
【００１７】
好ましくは、先進の制御局は指示情報を送信することは、先進の制御局は、指示情報をスーパーフレームヘッドに載せ、スーパーフレームヘッドを送信することを含む。
【００１８】
好ましくは、先進の制御局はスーパーフレームヘッドを送信した後、方法は更に、移動局は、スーパーフレームヘッドを受信した後、先進の制御局に登録要求メッセージを送信してアイドルモードに入ることを要求し、先進の制御局は登録要求メッセージを受信した後、移動局に登録応答メッセージを送信することを含み、先進の制御局は、登録応答メッセージに移動局の登録識別子を載せない、又は、先進の制御局は、移動局に移動局の登録識別子を載せない登録応答メッセージを送信して移動局がアイドルモードに入ることを触発する。
【００１９】
好ましくは、先進の制御局は呼出を行うことは、先進の制御局は、呼出放送メッセージを送信し呼出を行うことを含み、呼出放送メッセージには、呼び出す必要のある移動局が伝統的なプロトコルに用いるページング識別子、及び該先進の制御局が伝統的なプロトコルページング識別子を用いて呼び出た移動局の数量情報を載せる。
【００２０】
好ましくは、指示情報は、移動局がネットワークにアクセスする場合に、システムが用いるネットワークアクセス識別子タイプ指示と多重化できる。
【００２１】
好ましくは、先進の制御局は呼出を行うことは、先進の制御局が、その第１領域及び／又は第２領域で呼出放送メッセージを送信して呼出を行うことを含む。
【００２２】
好ましくは、先進の制御局は呼出を行うことは、先進の制御局は、呼び出す必要のある移動局が対応する通信領域を取得し、呼び出す必要のある移動局が対応する通信領域で呼出放送メッセージを送信して呼出を行うことを含む。
【００２３】
好ましくは、先進の制御局は、呼び出す必要のある移動局が対応する通信領域を取得することは、先進の制御局は、呼び出す必要のある移動局が所属する呼出組の呼出組識別子及び／又は呼出周期によって、呼出組が対応する通信領域を取得すること、先進の制御局は、呼び出す必要のある移動局がアイドルモードに入る又は位置更新を行う通信領域を呼出制御器から取得すること、及び先進の制御局は、呼び出す必要のある移動局が所属する呼出組の対応する通信領域を呼出制御器から取得することの少なくとも１つを含む。
【００２４】
好ましくは、先進の制御局は、呼び出す必要のある移動局が所属する呼出組の呼出組識別子及び／又は呼出周期によって、呼出組が対応する通信領域を取得する前、方法は更に、先進の制御局の異なる通信領域は、異なる呼出組に分けられることと、異なる通信領域に属する呼出組は、異なる呼出組識別子及び／又は呼出周期を用いて区分を行うこととを含む。
【００２５】
好ましくは、先進の制御局は呼出放送メッセージを送信して呼出を行った後、方法は更に、アイドルモードにある移動局は、呼出放送メッセージを受信した後、呼出放送メッセージにそのローカルで生成した又は先進の制御局から受信した、伝統的なプロトコルに用いるページング識別子に一致するページング識別子を載せるかを判断するにより、自分が呼び出されたかを確定することを含む。
【００２６】
好ましくは、アイドルモードにある移動局は、自分が呼び出されたことを確定する場合に、方法は更に、アイドルモードにある移動局は、呼出放送メッセージの指示により、アイドルモードを終え、ネットワーク再加入を行うこと、又は、アイドルモードにある移動局は、呼出放送メッセージにより、先進の制御局に、該移動局が伝統的なプロトコルで用いるページング識別子を載せる距離測定要求メッセージを送信すること、先進の制御局は、該移動局が伝統的なプロトコルで用いるページング識別子を載せる距離測定応答メッセージを応答すること、アイドルモードにある移動局は位置更新を完成することを含む。
【００２７】
好ましくは、アイドルモードにある移動局は、自分が呼び出されたことを確定する場合に、方法は更に、アイドルモードにある移動局は、呼出放送メッセージの指示により、アイドルモードを終え、ネットワーク再加入を行うこと、又は、アイドルモードにある移動局は、呼出放送メッセージにより、該移動局の媒体アクセスアドレスを載せる距離測定要求メッセージを、先進の制御局に送信すること、先進の制御局は、該移動局の媒体アクセスアドレスを載せる距離測定応答メッセージを応答すること、アイドルモードにある移動局は位置更新を完成することを含む。
【００２８】
好ましくは、移動局が伝統的なプロトコルで用いるページング識別子は、該移動局の媒体アクセスアドレスハッシュ値である。
【００２９】
本発明の他の形態によれば、伝統的なネットワークに接続される先進の制御局は、移動局がその第２領域で伝統的なプロトコルを用いてアイドルモード処理を行うことのみを先進の制御局がサポートするように、移動局を指示するステップと、先進の制御局は、第２領域で伝統的なプロトコルを用いて、アイドルモードの移動局に対して呼出を行うステップとを含むアイドルモード処理方法を提供した。
【００３０】
好ましくは、先進の制御局は、先進の制御局と移動局と能力協商を行うこと、及び先進の制御局が指示情報を送信すること、の少なくとも１つにより、移動局がその第２領域で伝統的なプロトコルを用いてアイドルモード処理を行うことのみを先進の制御局がサポートするように、移動局を指示する。
【００３１】
好ましくは、先進の制御局は移動局を指示した後、方法は更に、移動局が第２領域でアイドルモードに入ることを含む。
【００３２】
好ましくは、移動局は第２領域でアイドルモードに入ることは、第２領域で動作する移動局は、第２領域でアイドルモードに入ること、又は、先進の制御局の第１領域で動作する移動局は、第２領域に転換され、第２領域でアイドルモードに入ることを含む。
【００３３】
好ましくは、先進の制御局の第１領域で動作する移動局は第２領域に転換され、第２領域でアイドルモードに入ることは、移動局が第１領域から第２領域に転換され、第２領域で先進の制御局に登録要求メッセージを送信してアイドルモードに入ることを要求すること、又は、先進の制御局は、移動局を第１領域から第２領域に転換させることを触発し、移動局に登録命令メッセージを送信して移動局がアイドルモードに入るようになることを含む。
【００３４】
好ましくは、移動局は、第２領域でアイドルモードに入った後、方法は更に、移動局は、先進の制御局が第２領域で送信した呼出放送メッセージを取得し、呼出放送メッセージに移動局の媒体アクセスアドレスハッシュ値を載せるかにより、自分が呼び出されたかを確定することを含む。
【００３５】
好ましくは、移動局は、先進の制御局が送信した呼出放送メッセージを取得する前、方法は更に、先進の制御局は、その第２領域のみで呼出放送メッセージを送信することを含む。
【００３６】
好ましくは、移動局は、自分が呼び出されたことを確定する場合に、方法は更に、移動局は、呼出放送メッセージにおける指示情報により、第２領域で位置更新又はネットワーク再加入を行うことを含む。
【００３７】
好ましくは、移動局は、第２領域でネットワーク再加入を行うことは、移動局は、ネットワーク再加入を完成した場合、又はネットワーク再加入中に、第１領域に転換されることを含む。
【００３８】
本発明の他の形態によれば、先進の制御局を提供して、先進の制御局は、伝統的なネットワークに接続される場合に、その第１領域で伝統的なプロトコルのページング識別子を用いて移動局を呼び出すように設置する。
【００３９】
本発明の他の形態によれば、先進の制御局を更に提供し、先進の制御局は、伝統的なネットワークに接続される場合に、移動局がその第２領域で伝統的なプロトコルを用いてアイドルモード処理を行うことのみを先進の制御局がサポートするように、移動局を指示するように設置され、及び、先進の制御局は、第２領域で伝統的なプロトコルを用いてアイドルモードの移動局に対して呼出を行うように設置する。
【００４０】
本発明によって、先進の制御局が伝統的なネットワークにアクセスする場合に、先進の制御局が先進プロトコルを用いて移動局に対してアイドル処理を行ってエラー有りの可能性がある問題を解決するにより、アイドルモードがシステムの発展に適応できるようになる。
【図面の簡単な説明】
【００４１】
【図１】図１は関連技術によるシステム発展ネットワーク配置模式図である。
【図２】図２は本発明の実施例２によるアイドルモード移動局を呼び出す方法のフロー図である。
【図３】図３は本発明の好適な実施例１による先進の制御局処理フロー図である。
【図４】図４は本発明の好適な実施例６による先進の制御局は移動局を呼び出すフロー図である。
【図５】図５は本発明の好適な実施例７による先進の制御局処理のフロー図である。
【図６】図６は本発明の好適な実施例８による移動局処理のフロー図である。
【図７】図７は本発明の好適な実施例１３による移動局はアイドルモードに入る処理のフロー図である。
【図８】図８は本発明の好適な実施例１３による移動局はアイドルモードを終えるフロー図である。
【発明を実施するための形態】
【００４２】
ここで説明する図面は、本発明を理解させるためのものであり、本発明の一部を構成し、本発明における実施例と共に本発明を解釈するためのものであって、本発明を不当に限定するものではない。
【００４３】
以下、図面を参照しながら、本発明の実施例を詳しく説明する。互いに矛盾しない限り、本案における実施例及び実施例における特徴を相互に組み合わせてもよい。
【００４４】
実施例１
本実施例において、アイドルモード移動局を呼び出す方法を提供して、該方法は、伝統的なネットワークに接続される先進の制御局は、その第１領域で伝統的なプロトコルのページング識別子を用いて移動局を呼び出すステップを含む。
【００４５】
なお、本実施例において、先進の制御局は、第１領域と第２領域を含む先進の制御局でもよく、又は第１領域のみを含む先進の制御局でもよい。
【００４６】
該実施例では、移動局が伝統的なプロトコルで用いるページング識別子を使用して呼出を行うため、伝統的なアクセスネットワークに接続されて出る問題を解決でき、アイドルモードがシステムの発展に適応して正常動作するようになり、且つ省電の目的にも達成できる。
【００４７】
本実施例において、２種類の好適な方式を用いて実現し、以下、これらをそれぞれ説明する。
【００４８】
方式１
先進の制御局は、アイドルモードに入る必要のある移動局が伝統的なプロトコルで用いるページング識別子を、該移動局の登録識別子とし、且つ第１領域で登録識別子を、アイドルモードに入る必要のある移動局に送信する。なお、先進の制御局は、移動局に送信したメッセージに登録識別子を載せても良く、該登録識別子を載せるメッセージはいずれも同一な目的を達成でき、例えば、該メッセージは登録応答メッセージでもよく、即ち先進の制御局は、登録識別子を登録応答メッセージに載せ、そして第１領域で登録応答メッセージを、アイドルモードに入る必要のある移動局に送信する。
【００４９】
好ましくは、移動局は、まず第１領域で先進の制御局に登録要求メッセージを送信してアイドルモードに入ることを要求し、先進の制御局が登録要求メッセージを受信した後、第１領域で移動局に登録応答メッセージを送信しても良く、又は、先進の制御局は、主動的に第１領域で移動局に登録応答メッセージを送信して移動局がアイドルモードに入ることを触発する。
【００５０】
本方式において、先進の制御局は、呼出放送メッセージを送信して呼出を行うと、該呼出放送メッセージには、呼び出す必要のある移動局が伝統的なプロトコルで用いるページング識別子を載せる。
【００５１】
方式２
本方式において、先進の制御局がアイドルモードにある移動局に対して呼出を行う前、先進の制御局は指示情報を送信し、該指示情報は、アイドルモードに入る必要のある移動局が伝統的なプロトコルで用いるページング識別子を用いるように指示する。
【００５２】
好ましくは、先進の制御局は、指示情報をスーパーフレームヘッドに持たせ、そしてスーパーフレームヘッドを送信しても良く、即ち、先進の制御局は、先進の制御局が用いるページング識別子タイプ情報を含むスーパーフレームヘッドを送信し、先進の制御局は、スーパーフレームヘッドが指示したページング識別子タイプにより移動局を呼び出す。該ページング識別子タイプは、伝統的な技術（又はプロトコルと称する）ページング識別子、先進技術ページング識別子を含む。移動局は、スーパーフレームヘッドのページング識別子タイプ指示によって、伝統的な技術のページング識別子又は先進技術のページング識別子を用いて呼出識別及び位置更新を行う。
【００５３】
移動局は、スーパーフレームヘッドを受信した後、先進の制御局に登録要求メッセージを送信してアイドルモードに入ることを要求し、先進の制御局は登録要求メッセージを受信した後、移動局に登録応答メッセージを送信し、ここで、先進の制御局は、登録応答メッセージに移動局の登録識別子を載せない、又は、先進の制御局から移動局に、移動局の登録識別子を載せない登録応答メッセージを主動的に送信して移動局がアイドルモードに入ることを触発する。
【００５４】
先進の制御局が呼出放送メッセージを送信して呼出を行うと、該呼出放送メッセージには、呼び出す必要のある移動局が伝統的なプロトコルで用いるページング識別子、及び該先進の制御局を指示して伝統的なプロトコルのページング識別子を用いて呼び出した移動局数量情報を載せる。
【００５５】
好ましくは、先進の制御局は、スーパーフレームヘッドで送信した指示情報は１ビットでもよい。該指示ビットが「０」であると、先進プロトコル識別子を用いることを示し、該指示ビットが「１」であると、伝統的なプロトコル識別子を用いることを示し、逆にしても同様である。該指示情報は、移動局がネットワークアクセスを行う時にシステムが用いるネットワークアクセス識別子タイプ指示と多重化できる。
【００５６】
上述２種類方式において、先進の制御局は、その第１領域及び第２領域で呼出放送メッセージを送信して呼出を行っても良く、又は、先進の制御局は、呼び出す必要のある移動局が対応する通信領域を取得し、呼び出す必要のある移動局が対応する通信領域で呼出放送メッセージを送信して呼出を行っても良く、例えば、先進の制御局が該移動局の対応する第１領域を取得すると、先進の制御局は第１領域で呼出放送メッセージを送信し、更に例えば、先進の制御局は、移動局の対応する通信領域情報を取得できれば、先進の制御局は、相応領域で呼出放送メッセージを送信して前記移動局を呼び出し、そうしないと、先進の制御局は同時に第１領域及び第２領域で前記移動局を呼び出す。
【００５７】
好ましくは、先進の制御局は以下の少なくとも１つにより呼び出す必要のある移動局が対応する通信領域を取得できる。即ち、先進の制御局は前記呼び出す必要のある移動局が所属する呼出組の呼出組識別子又は呼出周期によって、呼出組が対応する通信領域を取得すること、先進の制御局は呼出制御器から呼び出す必要のある移動局がアイドルモードに入る又は位置更新を行う通信領域を取得し、該通信領域は先進の制御局が対応する通信領域であること、及び先進の制御局は呼出制御器から呼び出す必要のある移動局が所属する呼出組が対応する通信領域を取得することである。
【００５８】
好ましくは、先進の制御局の異なる通信領域は異なる呼出組に分けられ、異なる通信領域に属する呼出組が、異なる呼出組識別子を用いて区分しても良く、例えば、呼出組識別子を用いる高ビットは、第１領域と第２領域の呼出組を区分し、異なる通信領域に属する呼出組は、異なる呼出周期を用いて区分しても良い。先進の制御局は、呼び出す移動局が所属する呼出組により、呼び出す必要となる移動局の通信領域を判断でき、相応的な領域で移動局に対して呼出を行う。
【００５９】
アイドルモードにある移動局は、呼出放送メッセージを受信した後、呼出放送メッセージにそのローカルで生成した（上述方式２に対応）又は先進の制御局から受信した（上述方式１に対応）、伝統的なプロトコルで用いるページング識別子と一致するページング識別子を持つかを判断し、これでそれが呼び出されたかを確定する。即ち、方式１において、呼出監視間隔に位置する移動局は受信した呼出放送メッセージ及び予め配布した登録識別子により、自己が呼び出されたかを識別する。
【００６０】
アイドルモードにある移動局が、自分が呼び出されたことを確定する場合に、アイドルモードにある移動局は、呼出放送メッセージの指示によりアイドルモードを終え、ネットワーク再加入を行い、又は、アイドルモードにある移動局は、呼出放送メッセージにより、先進の制御局に、該移動局が伝統的なプロトコルで用いるページング識別子（上述方式１に対応）又は媒体アクセスアドレス（上述方式２に対応）を持つ距離測定要求メッセージを送信し、先進の制御局は、該移動局が伝統的なプロトコルで用いるページング識別子（上述方式１に対応）又は媒体アクセスアドレス（上述方式２に対応）を持つ距離測定応答メッセージを応答し、アイドルモードにある移動局は位置更新を完成する。
【００６１】
好ましくは、移動局が伝統的なプロトコルで用いるページング識別子は、該移動局の媒体アクセス（Ｍｅｄｉａ  Ａｃｃｅｓｓ  Ｃｏｎｔｒｏｌ，ＭＡＣと略称）アドレスハッシュ値でもよく、例えば、２４ビットが挙げられる。相応的に、登録識別子を含むシステムメッセージにおいて登録識別子フィールドが、移動局のＭＡＣアドレスハッシュに同一な長さまでに拡大され、システムメッセージは、登録応答メッセージ、呼出放送メッセージ、距離測定要求メッセージ及び距離測定応答メッセージの少なくとも１つを含む。
【００６２】
実施例２
本実施例において先進の制御局とは、第１領域と第２領域を含む先進の制御局であり、図２は、本発明の実施例２によるアイドルモード移動局を呼び出す方法のフロー図であり、該フローは以下のステップＳ２０２とステップＳ２０４を含む。
【００６３】
伝統的なネットワークに接続される先進の制御局は、移動局がその第２領域で伝統的なプロトコルを用いてアイドルモード処理を行うことのみを先進の制御局がサポートするように移動局を指示する（ステップＳ２０２）。
先進の制御局は、第２領域で伝統的なプロトコルを用いてアイドルモードの移動局に対して呼出を行う（ステップＳ２０４）。
【００６４】
本実施例において、先進の制御局が、第２領域で伝統的なプロトコルを用いて処理を行うため、伝統的なアクセスネットワークに接続されて出る問題も解決でき、アイドルモードが、システムの発展に適応して正常動作するようになり、且つ省電の目的を達成できる。
【００６５】
ステップＳ２０２において、先進の制御局は、先進の制御局と移動局との能力協商を行うこと、及び先進の制御局が指示情報を送信することの少なくとも１つにより、移動局がその第２領域で伝統的なプロトコルを用いてアイドルモード処理を行うことのみを先進の制御局がサポートするように、移動局を指示する。例えば、移動局は、先進の制御局と能力協商を行い、又は先進の制御局が放送送信したスーパーフレームヘッド等のメッセージに含まれる指示情報により、移動局が第２領域で伝統的な制御局の方式によりアイドルモード処理を行うことのみを先進の制御局がサポートすることが分かる。
【００６６】
好ましくは、先進の制御局が移動局を指示した後、移動局は第２領域でアイドルモードに入る。移動局は、第２領域でアイドルモードに入る方式は２種類があり、以下、これらをそれぞれ説明する。
【００６７】
方式１は、第２領域で動作する移動局は第２領域でアイドルモードに入る。方式２は、先進の制御局の第１領域で動作する移動局は第２領域に転換し、第２領域でアイドルモードに入り、ここで、移動局は第１領域から第２領域に転換し、第２領域で先進の制御局に登録要求メッセージを送信してアイドルモードに入って要求し、又は、先進の制御局は、移動局を第１領域から第２領域に転換させ、移動局に登録応答メッセージを送信して移動局がアイドルモードに入ることを触発する。
【００６８】
移動局が第２領域でアイドルモードに入った後、移動局は、先進の制御局が第２領域で送信した呼出放送メッセージを取得し、呼出放送メッセージに移動局の媒体アクセスアドレスハッシュ値を持つかによりそれが呼び出されたかを確定し、即ち、呼出監視間隔で、移動局は、先進の制御局が第２領域で送信した呼出放送メッセージを取得し、呼出放送メッセージに該移動局ＭＡＣアドレスハッシュを含むかにより呼び出されたかを判断する。なお、先進の制御局が、その第２領域だけで呼出放送メッセージを送信してもよい。
【００６９】
移動局は自分が呼び出されたことを確定する場合に、移動局は、呼出放送メッセージにおける指示情報により、第２領域で位置更新又はネットワーク再加入を行う。
【００７０】
好ましくは、移動局は、ネットワーク再加入を完成した場合又はネットワーク再加入プロセスに、第１領域に転換し、該領域切替は、移動局が主動的に行われるものでよく、先進の制御局が主動的に行われるものでも良い。
【００７１】
以下、本発明の好適な実施例を説明する。ここで、好適な実施例１ないし好適な実施例６は、実施例１における方式１に対して例を挙げて説明し、即ち、伝統的なアクセスネットワークに接続される先進の制御局は、第１領域で移動局のＭＡＣアドレスハッシュを登録識別子として呼出識別を行う。好適な実施例７ないし好適な実施例１２は、実施例１における方式２に対して例を挙げて説明し、即ち、伝統的なアクセスネットワークに接続される先進の制御局は、補助スーパーフレームヘッドで用いたページング識別子タイプ情報を送信し、後の呼出処理で相応のページング識別子を用いる。移動局は、補助スーパーフレームヘッドに指示したページング識別子タイプにより、後の呼出判断を行う。好適な実施例１３と１４は実施例２に対して例を挙げて説明し、即ち、伝統的なアクセスネットワークに接続される先進の制御局は、移動局が第２領域で伝統的な制御局の方式によりアイドルモード処理を行うことのみをサポートする。移動局が先進の制御局と能力協商を行う場合、又は先進の制御局が放送送信したスーパーフレームヘッドメッセージに含まれる指示情報により、移動局が第２領域で伝統的な制御局の方式によりアイドルモード処理を行うことのみを先進の制御局がサポートすることが分かる。
【００７２】
好適な実施例１
移動局が先進の制御局にアクセスし、該先進の制御局は第１領域のみを含む先進の制御局であり、且つ該先進の制御局は伝統的なアクセスネットワークに接続される。暫時にデータ伝送要求がないため、移動局はアイドルモードに入るようとする。移動局は、主動的に登録要求メッセージ（ＡＡＩ＿ＲＥＧ−ＲＥＱ）を先進の制御局に送信し、アイドルモードに入って要求する。図３は本発明の好適な実施例１による先進の制御局処理のフロー図であり、先進の制御局の処理は以下のステップＳ３０２とステップＳ３０４を含む。
【００７３】
先進の制御局が該要求を受信した後、移動局のＭＡＣアドレスにより、２４ビットのＭＡＣアドレスハッシュを生成する（ステップＳ３０２）。
先進の制御局は、ＭＡＣアドレスハッシュを登録識別子（ＤＩＤ）として登録応答メッセージ（ＡＡＩ＿ＤＲＥＧ−ＲＳＰ）により移動局に送信する（ステップＳ３０４）。
【００７４】
該登録応答メッセージには、更に移動局に配布した１つの呼出組情報を含み、例えば、呼出組識別子、呼出制御器識別子、呼出周期、呼出オフセット等の情報が挙げられる。移動局は、アイドルモードに入った後、配布した呼出周期及び呼出オフセット情報により、呼出監視間隔で呼出放送メッセージ（ＡＡＩ＿ＰＡＧ−ＡＤＶ）を周期的に受信する。
【００７５】
呼出放送メッセージは先進の制御局により周期的に送信され、該メッセージには、移動局に送信する必要がある移動局登録識別子情報、又は位置を更新する必要がある移動局登録識別子情報（移動局ＭＡＣアドレスハッシュに相当）が含まれる。移動局は、自己にマッチングする登録識別子を、受信した呼出放送メッセージに含むかにより呼び出されるかを判断する。移動局が呼び出されると、移動局は、呼出メッセージにおける指示により位置更新又はネットワーク再加入の操作を行う。ネットワーク再加入であると、移動局はアイドルモードを終える。また、移動局にはデータ送信の必要がある場合に、移動局は、ネットワーク再加入を随時に行うことができ、アイドルモードを早めに終える。
【００７６】
好適な実施例２
移動局が先進の制御局にアクセスし、該先進の制御局が、第１領域のみを含む先進の制御局であり、且つ該先進の制御局が伝統的なアクセスネットワークに接続される。暫時にデータ伝送要求がないため、移動局はアイドルモードに入るようとする。
【００７７】
先進の制御局は、移動局のＭＡＣアドレスにより２４ビットのＭＡＣアドレスハッシュを生成し、登録識別子（ＤＩＤ）として登録応答メッセージ（ＡＡＩ＿ＤＲＥＧ−ＲＳＰ）により移動局に送信する（ステップは図３に類似し、既に好適な実施例１で説明したが、ここで説明を省略する）。
【００７８】
登録応答メッセージには、更に移動局に配布した１つの呼出組情報を含み、例えば、呼出組識別子、呼出制御器識別子、呼出周期、呼出オフセット等の情報が挙げられる。移動局が登録応答メッセージを受信した後、登録要求メッセージを（ＡＡＩ＿ＲＥＧ−ＲＥＱ）先進の制御局に送信し、アイドルモードに入って確認する。移動局がアイドルモードに入った後、配布された呼出周期及び呼出オフセット情報により、呼出監視間隔で呼出放送メッセージ（ＡＡＩ＿ＰＡＧ−ＡＤＶ）を周期的に受信する。
【００７９】
呼出放送メッセージは先進の制御局により周期的に送信され、メッセージには、移動局に送信する必要がある移動局登録識別子情報、又は位置を更新する必要がる移動局登録識別子情報（移動局ＭＡＣアドレスハッシュに相当）が含まれる。移動局は、自己にマッチングする登録識別子を、受信した呼出放送メッセージに含むかにより呼び出されるかを判断する。移動局が呼び出されると、移動局は、呼出メッセージにおける指示により位置更新又はネットワーク再加入の操作を行う。ネットワーク再加入であると、移動局はアイドルモードを終える。また、移動局はデータ送信必要がある場合に、移動局は、ネットワーク再加入を随時に行うことができ、アイドルモードを早めに終える。
【００８０】
好適な実施例３
移動局が先進の制御局にアクセスし、該先進の制御局は、第１領域と第２領域を含む先進の制御局であり、且つ該先進の制御局は、伝統的なアクセスネットワークに接続される。移動局が現在先進の制御局の第１領域にアクセスし、暫時にデータ伝送要求がないため、移動局はアイドルモードに入るようとする。
【００８１】
移動局は、第１領域で主動的に登録要求メッセージを（ＡＡＩ＿ＲＥＧ−ＲＥＱ）先進の制御局に送信し、アイドルモードに入って要求する。先進の制御局は、該要求を受信した後、移動局のＭＡＣアドレスにより２４ビットのＭＡＣアドレスハッシュを生成し、登録識別子（ＤＩＤ）として登録応答メッセージ（ＡＡＩ＿ＤＲＥＧ−ＲＳＰ）により移動局に送信する（ステップは図３に類似し、既に好適な実施例１で説明したが、ここで説明を省略する）。
【００８２】
該登録応答メッセージには、更に移動局に配布した１つの呼出組情報を含み、例えば、呼出組識別子、呼出制御器識別子、呼出周期、呼出オフセット等の情報が挙げられる。また、好適な実施例２に類似する方式により、先進の制御局により第１領域で主動的に移動局をアイドルモードに入らせる。
【００８３】
移動局がアイドルモードに入った後、配布した呼出周期と呼出オフセット情報により、呼出監視間隔で第１領域で呼出放送メッセージ（ＡＡＩ＿ＰＡＧ−ＡＤＶ）を周期的に受信する。呼出放送メッセージは先進の制御局により周期的に送信され、該メッセージには、移動局に送信する必要がある移動局登録識別子情報、又は位置を更新する必要がある移動局登録識別子情報（移動局ＭＡＣアドレスハッシュに相当）を含む。
【００８４】
移動局は、自己にマッチングする登録識別子を、受信した呼出放送メッセージに含むかにより、呼び出されるかを判断する。移動局が呼び出されると、移動局は呼出メッセージにおける指示により、位置更新又はネットワーク再加入の操作を行う。ネットワーク再加入であると、移動局はアイドルモードを終える。また、移動局はデータ送信必要がある場合に、移動局は、ネットワーク再加入を随時に行うことができ、アイドルモードを早めに終える。
【００８５】
好適な実施例４
好適な実施例１、２、３の方式により、移動局がアイドルモードに入った後、移動局は、配布した呼出周期及び呼出オフセット情報により、呼出監視間隔で第１領域で呼出放送メッセージ（ＡＡＩ＿ＰＡＧ−ＡＤＶ）を周期的に受信する。
【００８６】
呼出放送メッセージは先進の制御局により周期的に送信され、メッセージには、移動局に送信する必要がある移動局登録識別子情報、又は位置を更新する必要がある移動局登録識別子情報（移動局ＭＡＣアドレスハッシュに相当）が含まれる。移動局は、自己にマッチングする登録識別子を、受信した呼出放送メッセージに含むかにより、呼び出されるかを判断する。移動局が呼び出されると、移動局は、呼出メッセージにおける指示により位置更新又はネットワーク再加入の操作を行う。位置更新であると、移動局は、距離測定要求メッセージ（ＡＡＩ  ＲＮＧ−ＲＥＱ）を先進の制御局に送信し、ここで登録識別子は２４ビットに拡大され、相応的に、制御局が応答した距離測定応答メッセージ（ＡＡＩ＿ＲＮＧ−ＲＳＰ）にも２４ビットの登録識別子が含まれた。移動局は、距離測定応答メッセージを受信した後、位置更新を完成し、アイドルモードに入って続くことができる。
【００８７】
好適な実施例５
移動局が先進の制御局にアクセスし、該先進の制御局は第１領域及び第２領域を含む先進の制御局であり、且つ該先進の制御局は、伝統的なアクセスネットワークに接続される。移動局は、現在先進の制御局の第２領域にアクセスし、暫時にデータ伝送要求がないため、移動局はアイドルモードに入るようとする。
【００８８】
移動局は、第２領域で主動的に登録要求メッセージ（ＤＲＥＧ−ＲＥＱ）を先進の制御局に送信し、アイドルモードに入って要求する。先進の制御局は、該要求を受信した後、伝統的な制御局のプロトコルにより、登録命令メッセージ（ＤＲＥＧ−ＣＭＤ）を移動局送に送信する。また、先進の制御局により、第２領域で主動的に移動局をアイドルモードに入らせる。移動局がアイドルモードに入った後、配布された呼出周期及び呼出オフセット情報により、呼出監視間隔で第２領域で呼出放送メッセージ（ＭＯＢ＿ＰＡＧ−ＡＤＶ）を周期的に受信する。呼出放送メッセージは、先進の制御局により周期的に送信され、メッセージには、移動局に送信をする必要がある移動局のＭＡＣアドレスハッシュ、又は位置を更新する必要がある移動局のＭＡＣアドレスハッシュが含まれる。移動局は、自己にマッチングするＭＡＣアドレスハッシュ情報を、受信した呼出放送メッセージに含むかにより、呼び出されるかを判断する。移動局が呼び出されると、移動局は、呼出メッセージにおける指示により、位置更新又はネットワーク再加入の操作を行う。ネットワーク再加入であると、移動局はアイドルモードを終える。また、移動局はデータ送信必要がある場合に、移動局はネットワーク再加入を随時に行うことができ、アイドルモードを早めに終える。
【００８９】
好適な実施例６
移動局が先進の制御局にアクセスし、該先進の制御局は、第１領域及び第２領域を含む先進の制御局であり、且つ該先進の制御局は伝統的なアクセスネットワークに接続される。好適な実施例３と５において、移動局は、第１領域により、アイドルモードに入る可能があり、第２領域によりアイドルモードに入る可能性もあり、移動局は、配布された呼出周期及び呼出オフセット情報により、呼出監視間隔で相応的に領域で呼出放送メッセージ（ＡＡＩ  ＰＡＧ−ＡＤＶ）を周期的に受信する。呼出放送メッセージは先進の制御局により周期的に送信される。図４は本発明の好適な実施例６による先進の制御局が移動局を呼び出すフロー図であり、該フローは以下のステップＳ４０２とステップＳ４０４とステップＳ４０６を含む。
【００９０】
先進の制御局は、呼出制御器から関連呼出組が第１領域又は第２領域に対応する情報メッセージ、又は呼び出す必要がある移動局が第１領域又は第２領域に対応する情報を取得できるかを確定する（ステップＳ４０２）。
取得できれば、先進の制御局は、第１領域と第２領域で呼出放送メッセージを送信する場合に相応領域のみには該領域で呼び出す必要がある移動局情報を含む（ステップＳ４０４）。
【００９１】
先進の制御局が上述情報を取得できなければ、先進の制御局は、第１領域と第２領域で送信した呼出放送メッセージに呼び出される必要があるすべての移動局を含む（ステップＳ４０６）。
【００９２】
先進の制御局の異なる通信領域は異なる呼出組に分けられ、異なる通信領域に属する呼出組は、異なる呼出組識別子を用いて区分しても良く、例えば、呼出組識別子の高ビットを使用するにより第１領域と第２領域の呼出組を区分し、呼出組識別子の最高ビットが０であることは、先進の制御局の第１領域から構成される呼出組を表示し、呼出組識別子の最高ビットが１であることは、先進の制御局の第２領域と伝統的な制御局から構成される呼出組を表示し、逆にしても同様である。また、異なる通信領域に属する呼出組は、異なる呼出周期を用いて区分しても良い。先進の制御局は、呼び出した移動局が所属する呼出組識別子及び／又は呼出周期だけで、呼び出す必要となる移動局の通信領域を判断し、相応の領域で移動局に対して呼出を行う。
【００９３】
移動局は、アイドルモードに入る領域のみで監視を行って、自己にマッチングする登録識別子を、受信した呼出放送メッセージに含むかにより、呼び出されるかを判断する。移動局が呼び出されると、移動局は、呼出メッセージにおける指示により、位置更新又はネットワーク再加入の操作を行う。移動局は、呼出組識別子が自己にマッチングする呼出組識別子ではないと見つけて位置更新を行う場合に、先進の制御局は、移動局が現在使用する呼出組識別子によって、先進の制御局が所属する同一タイプの他の呼出組を呼出制御器に推薦する。呼出制御器は、先進の制御局の推薦により、移動局に現在呼出組に同一タイプの呼出組を配布すると、先進の制御局は、新たな呼出組情報を移動局に送信し、そうしないと、先進の制御局は、新たな呼出組が対応する通信領域に領域切替を行うように移動局が要求されて、移動局は再びアクセスする。
【００９４】
呼出制御器は、移動局が現在対応する呼出組タイプにより、新たな呼出組を配布することをサポートすると、即ち移動局は現在第１領域呼出組に属すると、呼出制御器が配布した新たな呼出組も第１領域呼出組のはずである。この場合に、移動局は位置更新を直接に完成できる。
【００９５】
また、先進の制御局は、呼び出す必要のある移動局が、アイドルモードに入る又は位置更新を行う通信領域を呼出制御器から直接取得でき、又は、先進の制御局は、呼び出す必要のある移動局が所属する呼出組の対応する通信領域を呼出制御器から取得できると、先進制御器は、対応通信領域で移動局を直接に呼び出す。
【００９６】
ネットワーク再加入であると、移動局はアイドルモードを終える。また、移動局にデータを送信する必要がある場合に、移動局はネットワーク再加入を随時に行うことができ、アイドルモードを早めに終える。
【００９７】
好適な実施例７
移動局が先進の制御局にアクセスし、該先進の制御局は、第１領域のみを含む先進の制御局であり、且つ該先進の制御局は伝統的なアクセスネットワークに接続される。移動局は、先進の制御局にアクセスする場合に、先進の制御局が放送送信したスーパーフレームヘッドにより、先進の制御局がサポートするページング識別子指示情報を取得する。ページング識別子指示が１ビットであり、単独に指示しても良く、ネットワークアクセス識別子タイプ指示と多重化でき、伝統的な技術識別子又は先進技術識別子を用いて呼出処理を行うかを指示する。伝統的な識別子を用いて指示すると、移動局は、ＭＡＣアドレスハッシュを用いて呼出判断を行う。移動局は、アイドルモードに入るようとすると、主動的に登録要求メッセージ（ＡＡＩ＿ＤＲＥＧ−ＲＥＱ）を先進の制御局に送信し、アイドルモードに入ることを要求する。図５は本発明の好適な実施例７による先進の制御局処理のフロー図であり、該フローは以下のようなステップＳ５０２とステップＳ５０４を含む。
【００９８】
先進の制御局は、該要求を受信した後、登録応答メッセージ（ＡＡＩ＿ＤＲＥＧ−ＲＳＰ）に登録識別子（ＤＩＤ）を載せなくて移動局に送信しない（ステップＳ５０２）。
【００９９】
先進の制御局は、ＭＡＣアドレスハッシュにより移動局を呼び出す（ステップＳ５０４）。
【０１００】
上述のステップにおいて、登録応答メッセージには、移動局に配布した１つの呼出組等の関連情報を含み、例えば、呼出組識別子、呼出制御器識別子、呼出周期、呼出オフセット等の情報が挙げられる。
【０１０１】
移動局がアイドルモードに入った後、配布した呼出周期及び呼出オフセット情報により、呼出監視間隔で呼出放送メッセージ（ＡＡＩ＿ＲＡＧ−ＡＤＶ）を周期的に受信する。呼出放送メッセージは先進の制御局により周期的に送信され、メッセージには、該先進の制御局を指示して伝統的なプロトコルページング識別子を用いて呼び出した移動局数量情報、及び移動局に送信する必要となる位置更新又はネットワーク再加入を要求する移動局ＭＡＣアドレスハッシュ情報が含まれる。移動局は、自己にマッチングする登録識別子を、受信した呼出放送メッセージに含むかにより、呼び出されるかを判断する。移動局が呼び出されると、移動局は、呼出メッセージにおける指示により位置更新又はネットワーク再加入の操作を行う。ネットワーク再加入であると、移動局はアイドルモードを終える。また、移動局にはデータ送信必要がある場合に、移動局はネットワーク再加入を随時に行うことができ、アイドルモードを早めに終える。
【０１０２】
好適な実施例８
移動局が先進の制御局にアクセスし、該先進の制御局は第１領域のみを含む先進の制御局であり、且つ該先進の制御局は伝統的なアクセスネットワークに接続される。移動局は、先進の制御局にアクセスする場合に、先進の制御局が放送送信したスーパーフレームヘッドにより、先進の制御局がサポートするページング識別子指示情報を取得する。ページング識別子指示は１ビットであり、単独に指示しても良く、ネットワークアクセス識別子タイプ指示と多重化でき、伝統的な技術識別子又は先進技術識別子を用いて呼出処理を行うかを指示する。伝統的な識別子を用いて指示すると、移動局は、ＭＡＣアドレスハッシュを用いて呼出判断を行う。
【０１０３】
先進の制御局は移動局がアイドルモードに入るようとする。先進の制御局は、登録識別子（ＤＩＤ）を含んでなく登録応答メッセージ（ＡＡＩ＿ＤＲＥＧ−ＲＳＰ）により移動局に送信し、該登録応答メッセージには、移動局に配布した１つの呼出組の情報が含まれ、例えば、呼出組識別子、呼出制御器識別子、呼出周期、呼出オフセット等の情報が挙げられる。移動局が登録応答メッセージを受信した後、登録要求メッセージ（ＡＡＩ＿ＤＲＥＧ−ＲＥＱ）を先進の制御局に送信し、アイドルモードに入って確認する。
【０１０４】
移動局がアイドルモードに入った後、配布された呼出周期及び呼出オフセット情報により、呼出監視間隔で呼出放送メッセージ（ＡＡＩ＿ＲＡＧ−ＡＤＶ）を周期的に受信する。呼出放送メッセージは先進の制御局により周期的に送信され、該メッセージには、該先進の制御局を指示して伝統的なプロトコルページング識別子を用いて呼び出した移動局数量情報、及び移動局に送信する必要となる位置更新又はネットワーク再加入を要求する移動局ＭＡＣアドレスハッシュ情報が含まれる。
【０１０５】
図６は本発明の好適な実施例８による移動局処理フロー図であり、移動局の処理は以下のステップＳ６０２とステップＳ６０４を含む。
【０１０６】
移動局は、先進の制御局が登録識別子を配布しないアイドルモードを用いることを知る（ステップＳ６０２）。
【０１０７】
移動局は、自己にマッチングするＭＡＣアドレスハッシュを、受信した呼出放送メッセージに含むかにより、呼び出されるかを判断する（ステップＳ６０４）。
【０１０８】
移動局が呼び出されると、移動局は、呼出メッセージにおける指示により、位置更新又はネットワーク再加入の操作を行う。ネットワーク再加入であると、移動局は、アイドルモードを終える。また、移動局にはデータを送信する必要がある場合に、移動局はネットワーク再加入を随時に行うことができ、アイドルモードを早めに終える。
【０１０９】
好適な実施例９
移動局が先進の制御局にアクセスし、該先進の制御局は第１領域と第２領域を含む先進の制御局であり、且つ該先進の制御局は伝統的なアクセスネットワークに接続される。移動局は、先進の制御局にアクセスする場合に、先進の制御局が放送送信したスーパーフレームヘッドにより、先進の制御局がサポートするページング識別子指示情報を取得する。ページング識別子指示は１ビットであり、単独に指示しても良く、ネットワークアクセス識別子タイプ指示と多重化でき、伝統的な技術識別子又は先進技術識別子を用いて呼出処理を行うかを指示する。伝統的な識別子を用いて指示すると、移動局はＭＡＣアドレスハッシュを用いて呼出判断を行う。
【０１１０】
移動局はアイドルモードに入るようとする。移動局は第１領域で主動的に登録要求メッセージ（ＡＡＩ＿ＲＥＧ−ＲＥＱ）を先進の制御局に送信し、アイドルモードに入ることを要求する。先進の制御局は、登録識別子（ＤＩＤ）を含んでなく登録応答メッセージ（ＡＡＩ＿ＤＲＥＧ−ＲＳＰ）により移動局に送信する。該登録応答メッセージに移動局に配布した１つの呼出組の情報を含み、例えば、呼出組識別子、呼出制御器識別子、呼出周期、呼出オフセット等の情報が挙げられる。また、実例７に類似する方式を用いて、先進の制御局により第１領域で主動的に移動局をアイドルモードに入れる。
【０１１１】
移動局がアイドルモードに入った後、配布された呼出周期及び呼出オフセット情報により、呼出監視間隔で第１領域で呼出放送メッセージ（ＡＡＩ＿ＰＡＧ−ＡＤＶ）を周期的に受信する。呼出放送メッセージは先進の制御局により周期的に送信され、該メッセージには、該先進の制御局を指示して伝統的なプロトコルページング識別子を用いて呼び出した移動局数量情報、及び移動局に送信する必要となる位置更新又はネットワーク再加入を要求する移動局ＭＡＣアドレスハッシュ情報が含まれる。
【０１１２】
移動局は、自己にマッチングするＭＡＣアドレスハッシュを、受信した呼出放送メッセージに含むかにより、呼び出されるかを判断する。移動局が呼出されると、移動局は、呼出メッセージにおける指示により、位置更新又はネットワーク再加入の操作を行う。ネットワーク再加入であると、移動局はアイドルモードを終える。また、移動局にデータを送信する必要がある場合に、移動局は、ネットワーク再加入を随時に行うことができ、アイドルモードを早めに終える。
【０１１３】
好適な実施例１０
好適な実施例７、８、９の方式により、移動局がアイドルモードに入った後、移動局は、配布された呼出周期及び呼出オフセット情報により、呼出監視間隔で第１領域で呼出放送メッセージ（ＡＡＩ＿ＰＡＧ−ＡＤＶ）を周期的に受信する。移動局は、自己にマッチングするＭＡＣアドレスハッシュ情報を、受信した呼出放送メッセージに含むかにより、呼び出されるかを判断する。移動局が呼び出されると、移動局は、呼出メッセージにおける指示により、位置更新又はネットワーク再加入の操作を行う。位置更新であると、移動局は、距離測定要求メッセージ（ＡＡＩ  ＲＮＧ−ＲＥＱ）を制御局に送信し、ここで、含まれた２４ビットのＭＡＣアドレスハッシュが、制御局が該移動局を識別するように使用する。相応的に、制御局が応答した距離測定応答メッセージ（ＡＡＩ  ＲＮＧ−ＲＳＰ）に、２４ビットのＭＡＣアドレスハッシュ情報も含まれる。移動局は、距離測定応答メッセージを受信した後、位置更新を完成し、アイドルモードに入って続くことができる。
【０１１４】
好適な実施例１１
移動局が先進の制御局にアクセスし、該先進の制御局は第１領域及び第２領域を含む先進の制御局であり、且つ該先進の制御局は伝統的なアクセスネットワークに接続される。移動局は、先進の制御局にアクセスする場合に、先進の制御局が放送送信したスーパーフレームヘッドにより、先進の制御局がサポートするページング識別子指示情報を取得する。ページング識別子指示は１ビットであり、単独に指示しても良く、ネットワークアクセス識別子タイプ指示と多重化でき、伝統的な技術識別子又は先進技術識別子を用いて呼出処理を行うかを指示する。伝統的な識別子を用いて指示すると、移動局はＭＡＣアドレスハッシュを用いて呼出判断を行う。移動局が現在先進の制御局の第２領域にアクセスすると、暫時にデータ伝送要求がないため、移動局がアイドルモードに入るようとする、又は先進の制御局は第２領域で主動的に移動局がアイドルモードに入るようにさせる。この後の処理は好適な実施例４における処理に同一であり、ここで説明を省略する。
【０１１５】
好適な実施例１２
移動局が先進の制御局にアクセスし、該先進の制御局は第１領域及び第２領域を含む先進の制御局であり、且つ該先進の制御局は伝統的なアクセスネットワークに接続される。移動局は、先進の制御局にアクセスする場合に、先進の制御局が放送送信したスーパーフレームヘッドにより、先進の制御局がサポートするページング識別子指示情報を取得する。ページング識別子指示は１ビットであり、単独に指示しても良く、ネットワークアクセス識別子タイプ指示と多重化でき、伝統的な技術識別子又は先進技術識別子を用いて呼出処理を行うかを指示する。伝統的な識別子を用いて指示すると、移動局はＭＡＣアドレスハッシュを用いて呼出判断を行う。
【０１１６】
好適な実施例７及び好適な実施例８によって、移動局は第１領域によりアイドルモードに入る可能があり、第２領域によりアイドルモードに入る可能性もあり、移動局は、配布された呼出周期及び呼出オフセット情報により、呼出監視間隔で相応的に領域で呼出放送メッセージ（ＡＡＩ＿ＰＡＧ−ＡＤＶ又はＭＯＢ＿ＰＡＧ−ＡＤＶ）を周期的に受信する。
【０１１７】
先進の制御局は、関連呼出組が第１領域か第２領域かに対応する情報メッセージ、又は呼び出す必要がある移動局が第１領域か第２領域かに対応する情報を呼出制御器から取得できれば、先進の制御局は、第１領域と第２領域で呼出放送メッセージを送信する場合に、相応領域のみに該領域で呼び出す必要がある移動局情報を含む。先進の制御局が上述情報を取得できなければ、先進の制御局は、第１領域と第２領域で送信した呼出放送メッセージに、呼び出される必要があるすべての移動局が含まれる。
【０１１８】
先進の制御局の異なる通信領域は異なる呼出組に分けられ、異なる通信領域に属する呼出組は異なる呼出組識別子を用いて区分しても良く、例えば、呼出組識別子の高ビットを用いて第１領域と第２領域の呼出組を区分し、呼出組識別子の最高ビットは０であることが、先進の制御局の第１領域から構成される呼出組を表示し、呼出組識別子の最高ビットは１であることが、先進の制御局の第２領域と伝統的な制御局から構成される呼出組を表示し、逆にしても同様である。また、異なる通信領域に属する呼出組は、異なる呼出周期を用いて区分しても良い。先進の制御局は、呼び出した移動局が所属する呼出組識別子及び／又は呼出周期だけによって、呼び出す必要となる移動局の通信領域を判断し、そして相応の領域で移動局に対して呼出を行う。
【０１１９】
移動局は、アイドルモードに入る領域のみで監視を行って、自己にマッチングする登録識別子を、受信した呼出放送メッセージに含むかにより、呼び出されるかを判断する。移動局が呼び出されると、移動局は、呼出メッセージにおける指示により、位置更新又はネットワーク再加入の操作を行う。移動局は、呼出組識別子が自己にマッチングする呼出組識別子ではないと見つけて位置更新を行う場合に、先進の制御局は、移動局が現在使用する呼出組識別子によって、先進の制御局が所属する同一タイプの他の呼出組を呼出制御器に推薦する。呼出制御器は、先進の制御局の推薦により移動局に現在呼出組に同一タイプの呼出組を配布すると、先進の制御局は、新たな呼出組情報を移動局に送信し、そうしないと、先進の制御局は、移動局が新たな呼出組が対応する通信領域に領域切替を行うように要求して、移動局は再びアクセスする。
【０１２０】
呼出制御器は、移動局が現在対応する呼出組タイプにより新たな呼出組を配布することをサポートすると、即ち移動局は現在第１領域呼出組に属すると、呼出制御器が配布した新たな呼出組も第１領域呼出組のはずである。この場合に、移動局は位置更新を直接に完成できる。
【０１２１】
また、先進の制御局は、呼び出す必要のある移動局がアイドルモードに入る又は位置更新を行う通信領域を呼出制御器から直接に取得できれば、又は先進の制御局は、呼び出す必要がある移動局が所属する呼出組の対応する通信領域を呼出制御器から取得できれば、先進制御器は対応通信領域で移動局を直接に呼び出す。
【０１２２】
移動局は、アイドルモードに入る領域のみで監視を行って、自己にマッチングする登録識別子を、受信した呼出放送メッセージに含むかにより、呼び出されるかを判断する。移動局が呼び出されると、移動局は、呼出メッセージにおける指示により、位置更新又はネットワーク再加入の操作を行う。ネットワーク再加入であると、移動局はアイドルモードを終える。また、移動局にデータを送信する必要がある場合に、移動局は、ネットワーク再加入を随時に行うことができ、アイドルモードを早めに終える。
【０１２３】
好適な実施例１３
移動局が先進の制御局にアクセスし、該先進の制御局は第１領域及び第２領域を含む先進の制御局であり、且つ該先進の制御局は伝統的なアクセスネットワークに接続される。移動局は、先進の制御局にアクセスする場合に、移動局が第２領域で伝統的な制御局の方式でアイドルモード処理を行うことのみを先進の制御局がサポートすることを取得する。該情報は、先進の制御局が放送送信したスーパーフレームヘッドにより取得でき、又は能力協商により取得できる。図７は本発明の好適な実施例１３による移動局はアイドルモードに入る処理フロー図であり、移動局はアイドルモードに入る処理は以下のステップＳ７０２とステップＳ７０４とステップＳ７０６とステップＳ７０８を含む。
【０１２４】
移動局が現在先進の制御局の第１領域にアクセスし、暫時にデータを伝送する要求がないため、移動局はアイドルモードに入るようとする（ステップＳ７０２）。
移動局が現在、第１領域にあるかを判断し、はいと判断すると、ステップＳ７０６を実行し、いいえと判断すると、ステップＳ７０８を実行する（ステップＳ７０４）。
【０１２５】
移動局は、主動的に領域切替により、第１領域から第２領域に切り替える（ステップＳ７０６）。
【０１２６】
移動局が第２領域に切り替えた後、移動局は第２領域で登録要求メッセージ（ＤＲＥＧ−ＲＥＱ）を先進の制御局に主動的に送信し、アイドルモードに入ることを要求する（ステップＳ７０８）。
【０１２７】
先進の制御局は、該要求を受信した後、伝統的な制御局のプロトコルにより、登録命令メッセージ（ＤＲＥＧ−ＣＭＤ）を移動局に送信する。移動局は、アイドルモードに入った後、配布された呼出周期と呼出オフセット情報により、呼出監視間隔で第２領域で呼出放送メッセージ（ＭＯＢ＿ＰＡＧ−ＡＤＶ）を周期的に受信する。呼出放送メッセージは先進の制御局により周期的に第２領域で送信され、メッセージには、移動局に送信する必要がある移動局のＭＡＣアドレスハッシュ、又は位置を更新する必要がある移動局のＭＡＣアドレスハッシュが含まれる。移動局は、自己にマッチングするＭＡＣアドレスハッシュ情報を、受信した呼出放送メッセージに含むかにより、呼び出されたかを判断する。移動局が呼び出されると、移動局は、呼出メッセージにおける指示により、位置更新又はネットワーク再加入の操作を行う。図８は本発明の好適な実施例１３による移動局はアイドルモードを終えるフロー図であり、移動局はアイドルモードを終えることは以下のステップＳ８０２とステップＳ８０４とステップＳ８０６を含む。
【０１２８】
呼出メッセージに指示したのがネットワーク再加入であると、移動局はアイドルモードを終え、ネットワーク再加入を行い、また、移動局にデータを送信する必要がある場合に、移動局はネットワーク再加入を随時に行うことができ、アイドルモードを早めに終える（ステップＳ８０２）。
移動局は、第２領域でネットワークアクセスを始める（ステップＳ８０４）。
移動局は、第２領域でネットワーク再加入を行う中に、主動的に第１領域に領域切り替え、先進の制御局により主動的に移動局が第２領域から第１領域に切り替えられて次の通信を行う（ステップＳ８０６）。
【０１２９】
好適な実施例１４
移動局が先進の制御局にアクセスし、該先進の制御局は第１領域及び第２領域を含む先進の制御局であり、且つ該先進の制御局は伝統的なアクセスネットワークに接続される。移動局は、先進の制御局にアクセスする場合に、移動局が第２領域で伝統的な制御局の方式でアイドルモード処理を行うことのみを先進の制御局がサポートすることを取得する。該情報は、先進の制御局が放送送信したスーパーフレームヘッドにより取得でき、又は能力協商により取得できる。
【０１３０】
移動局が現在先進の制御局の第１領域にアクセスし、暫時にデータを伝送する要求がないため、先進の制御局は、移動局がアイドルモードに入るように、領域切替メッセージを移動局に送信する。移動局はメッセージを受信した後、第１領域から第２領域に切り替えた。移動局が第２領域に切り替えた後、先進の制御局は伝統的な制御局のプロトコルにより、第２領域で登録命令メッセージ（ＤＲＥＧ−ＣＭＤ）を移動局に送信する。移動局は第２領域で登録要求メッセージ（ＤＲＥＧ−ＲＥＱ）を先進の制御局に送信し、アイドルモードに入る。
【０１３１】
移動局は、アイドルモードに入った後、配布した呼出周期と呼出オフセット情報により、呼出監視間隔で第２領域で呼出放送メッセージ（ＭＯＢ＿ＰＡＧ−ＡＤＶ）を周期的に受信する。呼出放送メッセージは、先進の制御局により周期的に第２領域で送信され、メッセージには、移動局に送信する必要がある移動局のＭＡＣアドレスハッシュ、又は位置を更新する必要がある移動局のＭＡＣアドレスハッシュが含まれる。
【０１３２】
移動局は、自己にマッチングするＭＡＣアドレスハッシュ情報を、受信した呼出放送メッセージに含むかにより、呼び出されたかを判断する。移動局が呼び出されると、移動局は、呼出メッセージにおける指示により、位置更新又はネットワーク再加入の操作を行う。ネットワーク再加入であると、移動局はアイドルモードを終える。また、移動局にデータを送信する必要がある場合に、移動局はネットワーク再加入を随時に行うことができ、アイドルモードを早めに終える。移動局は、第２領域でネットワーク再加入を行う中に、主動的に第１領域に切り替えてもよい、先進の制御局により主動的に移動局が第２領域から第１領域に切り替えられて次の通信を行ってもよい。
【０１３３】
上述のように、上述の実施例によって、伝統的なアクセスネットワークに接続されて出る問題を解決でき、アイドルモードがシステムの発展に適応して正常動作するようになり、これで省電力の目的を実現する。
【０１３４】
なお、上述した本発明の各モジュールまたはステップは、汎用のコンピュータ装置により実現することができ、単一のコンピュータ装置に集中して配置されてもよく、複数のコンピュータ装置からなるネットワークに配置されてもよい。また、コンピュータ装置が実行可能なプログラムコードにより実現されてもよい。これにより、記憶装置に記憶されてコンピュータ装置により実行される。或いは、それぞれを各々の集積回路モジュールに作成するか、それらの中の複数のモジュールまたはステップを単一の集積回路モジュールに作成することにより実現することができる。このように、本発明は、いかなる特定のハードウェアおよびソフトウェアの組み合わせにも限定されない。
【０１３５】
以上は、本発明の好適な実施例に過ぎず、本発明を限定するものではない。当業者であれば本発明に様々な修正や変形が可能である。本発明の精神や原則内でのいかなる修正、置換、改良なども本発明の保護範囲内に含まれる。
【図１】
2013521733.tif 000003
【図２】
2013521733.tif 000004
【図３】
2013521733.tif 000005
【図４】
2013521733.tif 000006
【図５】
2013521733.tif 000007
【図６】
2013521733.tif 000008
【図７】
2013521733.tif 000009
【図８】
2013521733.tif 000010
【国際調査報告】
2013521733.tif 000011
2013521733.tif 000012
2013521733.tif 000013
2013521733.tif 000014